(57)【要約】【課題】冊子に対するシールの貼り付けによって、人間の認識機能を利用した面白い視覚的効果を生じさせることができるシールの提供等を課題とするものである。【解決手段】  裏面に粘着層を有するシール片１であって、互いの配置が直角を成す直線状の２辺７，８と、当該直線状の２辺に対してそれぞれ対向する対辺９，１０を有した矩形状の輪郭形状を有し、前記対辺は内側に向かってやや湾曲した形状を有するとともに、当該対辺の長さは同一の頂点を介して隣り合う前記直線状の辺の長さと同一若しくは直線状の辺の長さよりも短く形成し、前記直線状の２辺が有するそれぞれの端点又は端点付近を結ぶように配置した対角線１７若しくは当該対角線１７に相当する濃淡模様を設け、前記対辺の輪郭に沿って縁取り線を設けたことを特徴とする。【選択図】図１
2016109773.tif 000002
【特許請求の範囲】
【請求項１】
裏面に粘着層を有するシール片であって、
互いの配置が直角を成す直線状の２辺と、当該直線状の２辺に対してそれぞれ対向する対辺を有した矩形状の輪郭形状を有し、
前記対辺は内側に向かってやや湾曲した形状を有するとともに、当該対辺の長さは同一の頂点を介して隣り合う前記直線状の辺の長さと同一若しくは直線状の辺の長さよりも短く形成し、
前記直線状の２辺が有するそれぞれの端点又は端点付近を結ぶように配置した対角線若しくは当該対角線に相当する濃淡模様を設け、
前記対辺の輪郭に沿って縁取りを設けたことを特徴とするシール。
【請求項２】
前記直線状の２辺の輪郭に沿って縁取りを設けたことを特徴とする請求項１記載のシール。
【請求項３】
前記対角線と直線状の２辺によって形成される略三角形状の領域の色彩を、前記対角線と２つの対辺によって形成される略三角形状の領域の色彩よりも濃く形成したことを特徴とする請求項２記載のシール。
【請求項４】
前記対角線と直線状の２辺によって形成される略三角形状の領域に、文字、記号若しくはキャラクターを表す絵を設けたことを特徴とする請求項３記載のシール。
【発明の詳細な説明】
【技術分野】
【０００１】
本発明は、見る者に錯覚を起こさせる粘着シールに関するものである。
【背景技術】
【０００２】
従来、表面に絵柄を描き、裏面に粘着用の接着層を設けた所謂シールがよく知られている。シールには特許文献１に示されているようなエンボス印刷を施したものなどがあるが、一般的には動物であったり、花であったり、アニメーションキャラクターであったりという既存のデザインを絵柄として設けたものである。したがって、シールの絵柄自体に何かの機能があるわけではない。
【先行技術文献】
【特許文献】
【０００３】
【特許文献１】実公平７−３８９３４号公報
【発明の概要】
【発明が解決しようとする課題】
【０００４】
上記のようにシール表面の絵柄は、絵柄そのものを見て楽しむものであり絵柄自体が何かの機能を有するものではない。一方、絵単体として表現されるものにはだまし絵というものがある。これは、人間の視覚を介した認知機能を利用して様々な視覚的効果を発揮するものである。このようなだまし絵は、絵そのものが視覚効果を発揮するものであり、他の物品との組み合わせによって錯覚のような視覚効果を発揮するものではない。
また、単独の物品として販売等されている本や学習ノート等の一般的な冊子自体には、当然ながら錯覚機能は備わっていない。仮に、冊子の表紙等に従来から存在しているだまし絵を印刷したとしても、もともと単体でだまし絵として機能する絵柄が冊子の表紙に設けられたに過ぎないものであり、冊子との結合によって特別な技術的効果を発揮するわけではない。
【０００５】
しかしながら、発明者は既存の物品であるノート等の冊子に対するシールの貼り付けによって人間の認識機能を利用した面白い視覚的効果が生じることを見いだした。本発明は、このような視覚的効果を発揮する方法、視覚的効果を発揮するシール等の提供等を課題とするものである。
【課題を解決するための手段】
【０００６】
上記課題を解決するために、本発明は以下の構成を有することを特徴とする。すなわち、
裏面に粘着層を有するシール片であって、
互いの配置が直角を成す直線状の２辺と、当該直線状の２辺に対してそれぞれ対向する対辺を有した矩形状の輪郭形状を有し、
前記対辺は内側に向かってやや湾曲した形状を有するとともに、当該対辺の長さは同一の頂点を介して隣り合う前記直線状の辺の長さと同一若しくは直線状の辺の長さよりも短く形成し、
前記直線状の２辺が有するそれぞれの端点又は端点付近を結ぶように配置した対角線若しくは当該対角線に相当する濃淡模様を設け、
前記対辺の輪郭に沿って印刷による縁取り線を設けたことを特徴とする。
【０００７】
また本発明は、上記発明において以下の構成を有することを特徴とする。すなわち、
前記直線状の２辺の輪郭に沿って印刷による縁取り線を設けたことを特徴とする。
【０００８】
また本発明は、上記発明において以下の構成を有することを特徴とする。すなわち、
前記対角線と直線状の２辺によって形成される略三角形状の領域の色彩を、前記対角線と２つの対辺によって形成される略三角形状の領域の色彩よりも濃く形成したことを特徴とする。
【０００９】
また本発明は、上記発明において以下の構成を有することを特徴とする。すなわち、
前記対角線と直線状の２辺によって形成される略三角形状の領域に、文字、記号若しくはキャラクター等を表す絵を設けたことを特徴とする。
【発明の効果】
【００１０】
本発明は、絵柄を印刷した矩形状のシール片であり、当該シール片単体では特別な機能を果たさない単なる絵柄を印刷したものである。しかしながら、シール片の輪郭形状と表面に印刷する絵柄に特定の条件を付加することにより、冊子等の物品と結合させた場合に単体では発揮しえない視覚的な作用を得ることができるものである。すなわち、本発明に係るシールは、略矩形を成すシール片の外形および対角線を介して略２分するような線や色彩等によって、冊子の角に貼り付けた場合に表紙やページが捲られているかのような視覚的作用を見る者に与えることができるという効果を有している。
【図面の簡単な説明】
【００１１】
【図１】本発明に係るシール片の説明図である。
【図２】本発明に係るシール片を多数搭載したシートの説明図である。
【図３】シート上におけるシール片の構造を説明するための断面図である。
【図４】冊子の表紙にシール片を貼り付ける様子を表した説明図である。
【図５】シール片の他の例および冊子の表紙に貼り付けた状態を表した説明図である。
【図６】シール片のさらに他の例を表した説明図である。
【発明を実施するための形態】
【００１２】
図１（ａ）は本発明に係るシール片１ａの説明図であり、図１（ｂ）は本発明に係る他のシール片１ｂを表した説明図である。
シール片１ａ、１ｂは、単体として略四角形の外形を有する紙片として形成されたものであり、複数枚のシール片１（１ａ、１ｂ）を剥離可能に配置した図２に示すようなシート２のような形態として提供されるものである。図３は、シール片１ａ若しくはシール片１ｂを形成した部位におけるシート２の断面を図式化して表した説明図である。
【００１３】
シート２は、基材となる剥離紙３を有し、当該剥離紙３上に粘着層４を設け、粘着層４上に絵柄を印刷した印刷シート５を設けたものである。剥離紙３は紙の表面にシリコン等の離型剤を塗布したものである。
印刷シート５上には図２に示すように複数のシール片１を構成する印刷が行われており、各シール片１の輪郭を構成する部位に剥離紙３を切断しない程度の深さの切り込み６を設けている。当該構成より、剥離紙３から所定形状の輪郭を有する粘着層４を有したシール片１が形成される。
【００１４】
例示したシール片１ａ、１ｂの基本的な形状は、互いに直角を成す直線状の２辺７、８と、これら２辺７、８の対辺の位置にある対辺９，１０を内側（辺７、８側）にやや湾曲させた輪郭を有する紙片として形成したものである。また、対辺９と対辺１０が交わる頂点１１の位置は、シール片１ａ、１ｂを正方形若しくは長方形である矩形１２として形成した場合の頂点１３から、中心に向かってやや移動した位置に設けている。
すなわちシール片１ａ、１ｂは、直角に配置した２辺７、８および当該２辺が交わる交点（頂点）１９を共通要素として有し、当該２辺を有する正方形若しくは長方形状の仮想的な矩形１２と同一、若しくは前記対辺９，１０を前記仮想的な矩形１２の対辺９’、１２’よりも内側に配置した略矩形に形成したものである。
【００１５】
また、上記シール片１ａ、１ｂが有する各辺７、８、９、１０には、黒若しくは濃い色のインク若しくは塗料による縁取り線が描かれている。縁取り線の幅は０．５〜１ｍｍ程度であり、その外側に余白が生じないように設けられる。一例として、印刷シート５の表面に配置するシール片１ｂ（１ａ含む）の輪郭部に１〜２ｍｍの一定幅の線１４を描き、その線の中央に切り込み（ハーフカット）６を設ける方法を採用している。これによって、剥離紙３からシール片１ａ、１ｂを剥がした場合に、縁取り線の外側には余白が無いシール片１ａ、１ｂを形成している。
また、辺７と対辺１０が交わる頂点１５と辺８と対辺９が交わる頂点１６とを結ぶ対角線１７が描かれている。対角線１７は直線でもよいが、一例として対辺９と対辺１０が交わる頂点１１側に向かってやや膨らんだ湾曲した線として描いている。なお、対角線１７は、これとは反対側の頂点１９側に向かって膨らんだ湾曲線として描いても差し支えない。
【００１６】
上述した構成はシール片１ａ、１ｂについて共通のものであるが、シール片１ｂは上記構成に加えて、対角線１７に沿って陰影を表す色彩の濃淡部１８ａ、１８ｂを設けている。濃淡部１８ａ、１８ｂは、対角線１７の中央付近の幅を最も広く、頂点１５と頂点１６付近の幅が最も狭くなるように描かれている。濃淡部１８ａ、１８ｂは、黒、灰色等の濃淡の表現が可能となる色彩によってグラデーションとして表現されており、対角線１７に近い部分を濃く、対角線１７から遠ざかるにしたがって薄くなるように設けている。
【００１７】
図４（ａ）は上記シール片１ｂをノート２０の表紙に貼り付ける前の状態、図４（ｂ）は上記シール片１ｂをノート２０の表紙の角に貼り付けた状態を表した説明図である。
ノート２０は、一例として矩形の表表紙２１、裏表紙および中間ページを有する一般的な学習用のノート冊子として形成されたものである。もちろん、書籍、雑誌などであっても差し支えない。
このノート２０の表表紙２１の角２２とシール片１ｂの直角を成す頂点１９を合わせ、シール片１ｂの辺７、８を表紙２１の輪郭に沿って貼り合わせると、図４（ｂ）に示すように表紙２１の角部の外形に沿ってシール片１ｂを貼り付けることができる。
逆を言うなら、ノート２０等の冊子が有する表紙やページの角部と輪郭が一致するようにシール片１ｂの辺７、８の形状や角度が設定されている。冊子の形状が特殊な形状をしているのであれば、これらの形状に合わせてシール片を形成することにより後述するような視覚的効果を得ることができる。
【００１８】
表紙２１の角部２２にシール片１ｂを貼り付けると、図４（ｂ）のように表紙２１の角部２２がめくりあがっているように見える。これは、角部２２にシール片１ｂを貼り付けたことによる視覚効果であり、シール片１ｂ（１ａ）が有する構造によって生じたものである。
この視覚効果は、第１に表紙若しくはページの角部外形とシール片の輪郭が一致することによって生じている。本実施の形態では、シール片１ａ、１ｂの２辺７、８がこの条件を満たしている。
第２に、シール片１ａ、１ｂが対角線１７を有していることによって上記視覚効果が生じている。冊子が有する表紙やページの角を折り返すと折り曲げ線ができるが、本実施の形態では、折り曲げ線に相当する視覚効果を与える要素として、シール片１ａ、１ｂに対角線１７を描いている。また、シール片１ｂの場合には、対角線１７に沿って影に相当する濃淡部１８ａ、１８ｂを設けている。この濃淡部も、ページの角を折り返しているような視覚的効果を与えている。なお、濃淡部の色彩を濃く設けた場合には対角線１７を設けた場合と同様の視覚効果を発揮することができるので、この場合には必ずしも対角線１７は必要ない。
【００１９】
第３に、冊子が有する矩形の表紙やページの角を折り返すと、折り曲げ線を斜辺の一つとする三角形状の折り曲げ片ができる。本実施の形態では、シール片１ａ、１ｂの対辺９、１０と対角線１７による絵柄が折り曲げ片として人間によって認識される。シール片単体を見た場合、対辺９、１０と対角線１７は、単に三角形を表したにすぎず特別視覚的な効果を発揮しない。
しかしながら、このシールを冊子の角に貼り付けると、シール片１ａ、１ｂの対辺９、１０と対角線１７による三角形部分が、めくれあがった表紙の角のような視覚的印象を与える。これに加えて、対辺９、１０を湾曲させることで、より立体感を生じさせる視覚的効果を向上させることができる。
【００２０】
本発明に係るシール片は、単体で存在している場合には何を表しているのかがよくわからないシールである。しかしながら、貼り付ける対象物と貼り付け位置との組み合わせによって、貼り付けたものにページが捲れあがっているような視覚的効果を生じさせる。シールの使用者は、自己の所有するノートや書籍に、このような視覚的効果を伴った装飾を行うことができるのである。
【００２１】
図５（ａ）は、前述した視覚効果がさらに効果的に現れるシール片の構成を示している。図５（ａ）に示したシール片１ｃは、外形については前述したシール片１ａ、１ｂと同様である。また、対角線１７に沿ってグラデーションによる濃淡部１８ａ、１８ｂを設けた点においてはシール片１ｂと同様である。
シール片１ｃは、上記構成に加えて、互いに直角を成す直線状の２辺７、８と対角線１７によって構成される略三角形の領域２３の色彩を、対辺９、１０と対角線１７によって構成される略三角形の領域２４の色彩と比較して濃く形成している。濃淡でいうなら領域２３は領域２４よりも濃い色彩で印刷が行われている。また、明暗でいうなら領域２３は領域２４よりも暗い色彩で印刷が行われている。
【００２２】
図５（ｂ）は、ノート２０にシール片１ｃを貼り付けた状態を表している。同図を見て解るように、上記のように対角線１７によって区画されるシール片１ｃの内部に濃淡や明暗というコントラストの違いを設けると、前述したようなページをめくっているように見える視覚的効果がより顕著に生じるという効果を有している。
また、上記シール片１ｃと同じシール片１ｃ’を、前述したような冊子の角ではなく他の平面部位に貼り付けると、表紙が破れて捲れあがったような印象の視覚的効果を得ることができる。すなわち、実際の現象ではないが、シール片１ｃ’の内部に設けたコントラストの違いによってこのような視覚的効果を得ることが可能になっている。
【００２３】
また、前述したシール片１ｃを、図６（ａ）に示すデザインに構成することもできる。すなわち、図６（ａ）に示した１ｃ''は、略三角形の領域２３の輪郭に描いていた線（輪郭線）を省き、領域２３を領域２４よりも濃い色彩で印刷したものである。このように、領域２３を濃い色彩で表した場合には、必ずしも領域２３を取り囲むような輪郭線は必要無い。
【００２４】
また、シール片１ｃの応用として図６（ｂ）に示すデザインに構成することもできる。すなわち、互いに直角を成す直線状の２辺７、８と対角線１７によって構成される略三角形の領域２３に、アニメーションキャラクターの絵２５を印刷している。この絵２５は、アニメーションキャラクターのような絵に限らず、文字や記号であってもよい。領域２３に絵２５を設けると、捲ったページの次のページに絵２５が表示されているような錯覚を見る者に与えるという作用を有している。本発明に係るシールは、このような錯覚作用を楽しむことができるシールを提供できるものとなっている。
【００２５】
さらに、シール片１の応用として図６（ｃ）に示すデザインに構成することもできる。同図に示したシール片１ｅは、シール片１ｅの外形自体は前述した各シール片と同様に略矩形を成しているが、略三角形の領域２３には輪郭（破線２６で表した部位）を表す線を設けず、かつ当該領域内を白色で塗りつぶしている。
すなわち、対角線１７と対辺によって構成される領域２４のみにのみ積極的に絵柄を設けたシール片１ｅは、シール片１ｅ単体では意味を成さないものであるが、冊子に貼り付けることによってページを捲ったような視覚的印象を見る者に与えるという作用、効果を有している。
【産業上の利用可能性】
【００２６】
本発明は、他の物品との結合によって錯覚作用を生じる粘着シール、当該粘着シールを用いた錯覚表示方法等に利用可能である。
【符号の説明】
【００２７】
１  シール片
２  シート
３  剥離紙
４  粘着層
５  印刷シート
６  切り込み
７、８  直線状の辺
９，１０  対辺
１１  頂点
１２  矩形
１９  交点（頂点）
１４  線
１５  頂点
１６  頂点
１７  対角線
１８ａ、１８ｂ  濃淡部
１９  頂点
２０  ノート
２１  表紙
２２  角
２３  領域
２４  領域
２６  破線
【図１】
2016109773.tif 000003
【図２】
2016109773.tif 000004
【図３】
2016109773.tif 000005
【図４】
2016109773.tif 000006
【図５】
2016109773.tif 000007
【図６】
2016109773.tif 000008